(57)【要約】      （修正有）【課題】長さの同じ中棒で傘布の面積が大きい長傘を提供する。【解決手段】長傘は、中棒１と、複数の上受骨２と、複数の下受骨３と、傘布５と、複数の親骨４と、複数の連結骨６とを含む。中棒の頂端近傍には、上ろくろ１１が設けられ、かつ中棒の中央箇所には、下ろくろ１２が嵌着される。上受骨は、一端が上ろくろに接合され、他端が対応する下受骨に接合される。下受骨は、一端が下ろくろに接合され、他端が対応する親骨に接合される。傘布は、中央が中棒の頂端から上ろくろまでに外挿され、かつ複数の親骨に完全貼設されて親骨に支持されない一部は凹部５３に折り曲げられる。各親骨は、長さが傘布の半径より短く、かつ一端が傘布の凹部の外周囲に接合され、他端が傘布の外周縁に接合される。連結骨は、対応する親骨と上受骨との間に接合される。【選択図】図６
0003188356.tif 000002
【実用新案登録請求の範囲】
【請求項１】
長傘であって、
頂端近傍には、上ろくろが設けられ、中央箇所には、下ろくろが嵌着される中棒と、
一端が前記上ろくろに接合され、他端が対応する下受骨に接合される複数の上受骨と、
一端が前記下ろくろに接合され、他端が対応する親骨に接合される複数の下受骨と、
中央が中棒の頂端から前記上ろくろに外挿され、かつ複数の親骨に完全貼設して凹部が形成される傘布と、
長さが傘布の半径より短く、かつ一端が前記傘布の凹部の外周囲に接合され、他端が該傘布の外周縁に接合される複数の親骨と、
前記対応する親骨と上受骨との間に接合される複数の連結骨と、を含むことを特徴とする長傘。
【請求項２】
前記上受骨は、横断面が"凵"状のロッド体で、かつその両端が潰されるとともに各端は枢着孔を有することを特徴とする請求項１に記載の長傘。
【請求項３】
前記上受骨の下方の枢着孔近傍には掛けロッドが設けられ、前記連結骨の一端は、前記掛けロッドに掛け止められることを特徴とする請求項２に記載の長傘。
【請求項４】
前記下受骨において、第１ロッド体の両端にはそれぞれ継手が接合され、かつ前記継手が枢結孔を有することにより、いずれか１つの継手が前記中棒の下ろくろに接合されることを特徴とする請求項１に記載の長傘。
【請求項５】
前記下受骨の外側の継手近傍には第１枢着台が設けられ、前記第１枢着台は前記上受骨の下方の枢着孔に接合されることを特徴とする請求項４に記載の長傘。
【請求項６】
前記傘布は、複数の扇状布片により縫い付けられ、各布片の縫製領域は、傘布の底に位置し、各親骨の一端は、傘布の各縫製領域に接合されることを特徴とする請求項１に記載の長傘。
【請求項７】
前記親骨の第２ロッド体の一端には継手が接合され、かつ前記継手は枢着孔を有し、前記枢着孔は前記傘布の各縫製領域に縫い付けられ、該第２ロッド体の他端には露先が接合されることを特徴とする請求項６に記載の長傘。
【請求項８】
前記親骨の中央には、第２枢着台と第３枢着台とが外挿され、
前記第２枢着台および第３枢着台は相互に密着され、かつ前記第２枢着台は前記連結骨の一端に掛け止められ、前記第３枢着台は前記下受骨の外側の継手に接合されることを特徴とする請求項７に記載の長傘。
【請求項９】
前記親骨の第２枢着台から前記上ろくろまでの距離をＤとし、前記親骨の第２枢着台からその継手までの距離をｄとした場合、ｄはＤの１／４〜２／３であることを特徴とする請求項７に記載の長傘。
【請求項１０】
前記長傘の開閉時に、前記傘布の各親骨に支持されない一部は、凹部に折り曲げられることを特徴とする請求項１に記載の長傘。
【考案の詳細な説明】
【技術分野】
【０００１】
本考案は、傘に関し、特に、各親骨の配置により、長さの同じ中棒で面積の大きい傘布の使用が可能な長傘に関する。
【背景技術】
【０００２】
図８は、従来の長傘の構造を示す。図８に示すように、従来の長傘９は、日よけおよび雨よけの機能を有する。通常、該長傘では、中棒９１、および該中棒９１に架設される傘骨９２によって傘布９３を広げる、または閉じることにより、日よけおよび雨よけの効果が得られる。
【０００３】
また、該傘骨９２は、複数の親骨９２１および受骨９２２からなる。親骨９２１および受骨９２２の一端は、それぞれ、中棒９１の上ろくろ９１１および下ろくろ９１２に接合される。しかも、多くの親骨９２１の一端は、上ろくろ９１１に接合される。一般に、容易に携帯するため、従来の長傘９の中棒９１を固定長さに設計している。このように、傘布９３をさらに広くできないため、従来の長傘９の雨よけ効果が大幅に低下してしまい、特に、強風と大雨の場合長傘を使用しても、人々は雨にさらされる。傘布９３の面積を増やすと、それと共に中棒９１の長さも増加しなければならないため、携帯が不便になっている。
【考案の概要】
【考案が解決しようとする課題】
【０００４】
本考案は、従来技術の欠点を克服するために、傘布の面積が大きい長傘を提供することを主な目的とする。さらに、本考案の他の目的は中棒の長さを短縮することができる長傘を提供する。
【課題を解決するための手段】
【０００５】
上記課題を鑑み、本考案に係る長傘は、頂端近傍に上ろくろが設けられ、かつ中央箇所に下ろくろが嵌着される中棒と、一端が前記上ろくろに接合され、他端が対応する下受骨に接合される複数の上受骨と、一端が前記下ろくろに接合され、他端が対応する親骨に接合される複数の下受骨と、中央が中棒の頂端から前記上ろくろまでに外挿され、かつ複数の親骨に完全貼設されて凹部が形成される傘布と、長さが傘布の半径より短く、かつ一端が前記傘布の凹部の外周囲に接合され、他端が該傘布の外周縁に接合される複数の親骨と、前記対応する親骨と上受骨との間に接合される複数の連結骨と、を含む。
【０００６】
本考案に係る長傘の上述した特徴を基に、前記上受骨の横断面は、"凵"状のロッド体で、かつその両端が潰されるとともに各端には枢着孔がある。
本考案に係る長傘の上述した特徴を基に、前記上受骨の下方の枢着孔近傍には、掛けロッドが設けられ、前記連結骨の一端は、前記掛けロッドに掛け止められる。
【０００７】
本考案に係る長傘の上述した特徴を基に、前記下受骨において、第１ロッド体の両端には、それぞれ継手が接合され、かつ前記継手が枢着孔を有することにより、いずれか１つの継手が前記中棒の下ろくろに接合される。
【０００８】
本考案に係る長傘の上述した特徴を基に、前記下受骨の外側の継手近傍には、第１枢着台が設けられ、前記第１枢着台には、前記上受骨の下方の枢着孔が接合される。
【０００９】
本考案に係る長傘の上述した特徴を基に、前記傘布は、複数の扇状布片により縫い付けられ、各布片の縫製領域は、傘布の底に位置し、各親骨の一端は、傘布の各縫製領域に接合される。
【００１０】
本考案に係る長傘の上述した特徴を基に、前記親骨の第２ロッド体の一端には継手が接合され、かつ前記継手は枢着孔を有し、前記枢着孔は、前記傘布の各縫製領域に縫い付けられ、該第２ロッド体の他端には露先が接合される。
本考案に係る長傘の上述した特徴を基に、前記親骨の中央には、第２枢着台と第３枢着台とが外挿され、前記第２枢着台および第３枢着台は、相互に密着し、かつ前記第２枢着台は、前記連結骨の一端に掛け止められ、前記第３枢着台は、前記下受骨の外側の継手に接合される。
【００１１】
本考案に係る長傘の上述した特徴を基に、前記親骨の第２枢着台から前記上ろくろまでの距離をＤとし、前記親骨の第２枢着台からその継手までの距離をｄとした場合、ｄはＤの１／４〜２／３である。
本考案に係る長傘の上述した特徴を基に、前記長傘の開閉時に、前記傘布の各親骨に支持されない一部は、凹部に折り曲げられる。
【考案の効果】
【００１２】
そこで、従来技術に比べ、本考案に係る長傘は以下の効果が得られる。
１．本考案では、傘布が閉じられる場合に凹部に折り曲げられることができるため、閉じられた後に傘布の長さＬが従来の長傘の構造より短い。そのため、長さの同じ中棒に対して、本考案に係る長傘の構造によれば、面積の大きい傘布を使用することが可能で、雨よけ効果を向上させ、たとえ大雨でも雨よけ効果に達する。
２．本考案では、傘布が閉じられる場合に凹部に折り曲げられることができるため、短い収束布面Ｌが得られる。そのため、長い中棒を使用することなく、長傘の全体の長さを短くすることができ、長傘の使用と携帯が便利になる。
【図面の簡単な説明】
【００１３】
【図１】図１は、本考案に係る長傘の内部構造の底面図である。
【図２】図２は、本考案に係る長傘の中棒、上受骨、下受骨、親骨および連結骨の組合せ構造を示す図である。
【図３】図３は、図２に示された構造の分解図である。
【図４】図４は、本考案に係る長傘の断面概略図である。
【図５】図５は、図４に示されたa-a線に沿う断面図である。
【図６】図６は、本考案に係る長傘を閉じている最中の状態を示す図である。
【図７】図７は、本考案に係る長傘を閉じた後の断面図である。
【図８】図８は、従来の長傘を示した構造図である。
【考案を実施するための形態】
【００１４】
本考案の目的、技術手段およびその効果をより詳しく説明するため、以下、実施例を用いて本考案を具体的に説明する。図１は、本考案に係る長傘の内部構造の上視図で、図７は、本考案に係る長傘を閉じた後の断面図である。図１および図７に示すように、本考案は、長傘Ａの構造の改良に関し、主に傘布５の底に位置する複数の親骨４を短く設計し、即ち、各親骨４の長さが傘布５の半径より短く、かつ該親骨４の一端が傘布５に接合され、他端に露先４３を嵌着するとともにその他端が該傘布５の外周縁に接合される。これにより、該長傘Ａを閉じるときに、該傘布が凹部５３に折り曲げられることで、長い中棒１を使用することなく、図７に示すように、従来の長傘の構造に比べてより短い、束ねた傘布面Ｌを得ることができる。換言すれば、長さの同じの中棒１に対して、本考案に係る長傘Ａの構造によれば、面積の大きい傘布５を使用することができる。
【００１５】
さらに、図２は、本考案に係る長傘の中棒、上受骨、下受骨、親骨および連結骨の組合せ構造を示す図で、図３は、図２に示された構造の分解図で、図４は、本考案に係る長傘の断面概略図で、図５は、図４に示されたa-a線に沿う断面図である。図２〜５に示すように、本考案に係る長傘Ａは、中棒１と、複数の上受骨２と、複数の下受骨３と、複数の親骨４と、傘布５と、複数の連結骨６とを含む。該中棒１の頂端近傍には、上ろくろ１１が設けられ、かつ該中棒１の中央には、下ろくろ１２が嵌着される。
【００１６】
上受骨２は、横断面が"凵"状のロッド体で、かつその両端は潰されているとともに第２枢着孔２１を有する。各上受骨２の高い位置の第２枢着孔２１は、前記中棒１の上ろくろ１１に接合され、各上受骨２の低い位置の第２枢着孔２１は、下受骨３に設けられている第１枢着台３３に接合される。また、該上受骨２の低い位置の第２枢着孔２１近傍のみに掛けロッド２２を設け、連結骨６の一端が該掛けロッド２２に掛止められる。
【００１７】
各下受骨３において、第１ロッド体３１の両端にはそれぞれ継手３２が設けられ、かつ該継手３２が第３枢着孔３２１を有することにより、内側の継手３２が前記中棒１の下ろくろ１２に接合され、外側の継手３２が親骨１の第３枢着台４５に接合される。また、下受骨３の外側の継手３２近傍には、第１枢着台３３が設けられている。該第１枢着台３３には、前記上受骨２の低い位置の第２枢着孔２１が接合される。
【００１８】
各親骨４の第２ロッド体４１の一端には継手４２が設けられ、かつ該継手４２は第４枢着孔４２１を有する。各親骨４の長さが傘布５の半径より短いため、該親骨４の第４枢着孔４２１は、中棒１の上ろくろ１１に結合されることなく、前記傘布５の各縫製領域５２に縫い付けられている。また、該第２ロッド体４１の他端には、露先４３が設けられる。さらに、親骨４の中央には、第２枢着台４４および第３枢着台４５が外挿される。該第２枢着台４４と第３枢着台４５とは、相互に密着される。該第２枢着台４４は、前記連結骨６の一端に掛け止められ、第３枢着台４５は、前記下受骨３の外側の継手３２に接合される。該親骨４の第２枢着台４４から前記上ろくろ１１までの距離をＤとし、該親骨４の第２枢着台４４から該親骨４の継手４２までの距離をｄとすると、該ｄはＤの１／４〜２／３である。
【００１９】
該傘布５の中央は、中棒１の頂端から前記上ろくろ１１に外挿され、かつ該傘布５は、前記複数の親骨４に完全貼設される。通常、該傘布５は、複数の扇状布片５１により縫い付けられ、各布片５１の縫製領域５２の全ては、傘布５の底に位置する。傘布５の半径の長さが親骨４の長さより長いため、各親骨４の一端は、傘布５の各縫製領域５２に接合され、前記複数の連結骨６は、前記対応する親骨４の第２枢着台４４と上受骨２の掛けロッド２２との間に接合される。
【００２０】
本考案に係る長傘Ａの各部品は上述の連結関係により組合され、特に、各上受骨２、下受骨３、親骨４および連結骨６により４つリンク機構が組合され、また、上受骨２の一端は中棒１の上ろくろ１１に接合され、下受骨３の一端は中棒１の下ろくろ１２に接合されており、該上ろくろ１１と下ろくろ１２との間の距離を変更し、即ち、該４つリンク機構により、傘布５を開き、または閉じる目的に達する。
【００２１】
図６は、本考案に係る長傘を閉じている最中の状態を示す図で、図７は、本考案に係る長傘を閉じた後の断面図である。図６および図７に示されたように、本考案に係る長傘Ａを閉じようとするとき、即ち、中棒１の下ろくろ１２を、上ろくろ１１から離れるように下方へ引き、上述の４つリンク機構により、各親骨４を束ねて中棒１に近づくときに、上ろくろ１１の外周囲に位置する傘布５の領域近傍は、親骨４に支持されないので、該傘布５自体の重さによって最初に該傘布５に凹部を形成する。また、図７に示すように、本考案に係る長傘Ａが完全に閉じられたときに、該親骨４は、中棒１に完全近づくと同時に、該傘布５も該凹部５３で中棒１に完全に近づき、更に、長い中棒１の使用をすることなく、従来の長傘の構造に比べてより短い、束ねた傘布面Ｌが得られる。換言すれば、長さの同じ中棒１に対して、本考案に係る長傘Ａの構造によれば、面積の大きい傘布５を使用することができる。
【００２２】
以上により、本考案に係る長傘は、短い親骨を使用し、かつ親骨の頂端が傘布に接合されることで、該傘布が閉じられる時に凹部に折り曲げられ、更に、従来の長傘の構造に比べてより短い、束ねた傘布面Ｌが得られる。そのため、長さの同じの中棒に対して、本考案に係る長傘の構造によれば、面積の大きい傘布を使用することができ、雨よけ効果を向上させ、たとえ大雨でも雨よけ効果が得られる。また、長い中棒を使用することなく、長傘の全体の長さを短くすることができ、長傘の使用と携帯が便利になる。
【００２３】
ここで、説明すべきなのは、上述した実施例は、本考案の技術手段を説明するものであり、本考案を限定するものではない。好ましい実施例を用いて本考案を詳細に説明したが、当業者が理解すべきなのは、上述した各実施例に記載された技術手段に対する修正、または技術的特徴の一部、もしくは全てに基づいて行った等価の変更に関する全ては、本考案の実用新案登録請求の範囲内に含まれる。
【符号の説明】
【００２４】
Ａ：長傘
１：中棒
１１：上ろくろ
１２：下ろくろ
２：上受骨
２１：第２枢着孔
２２：掛けロッド
３：下受骨
３１：第１ロッド体
３２：継手
３２１：第３枢着孔
３３：第１枢着台
４：親骨
４１：第２ロッド体
４２：継手
４２１：第４枢着孔
４３：露先
４４：第２枢着台
４５：第３枢着台
５：傘布
５１：扇状布片
５２：縫製領域
５３：凹部
６：連結骨
Ｄ：距離
ｄ：距離
Ｌ：長さ
９：従来の長傘
９１：中棒
９１１：上ろくろ
９１２：下ろくろ
９２：傘骨
９２１：親骨
９２２：受骨
９３：傘布
【図１】
0003188356.tif 000003
【図２】
0003188356.tif 000004
【図３】
0003188356.tif 000005
【図４】
0003188356.tif 000006
【図５】
0003188356.tif 000007
【図６】
0003188356.tif 000008
【図７】
0003188356.tif 000009
【図８】
0003188356.tif 000010